(57)【要約】      （修正有）【課題】少ない換気風量の喫煙室内に設置しても、吸込容量を増すことなく吸込口回りの紫煙の有効吸込量を多くし、喫煙者の影響を軽減出来、紫煙漏れも防げる喫煙用空気清浄機及びそれを設置した喫煙室を提供する。【解決手段】鉄道車両の喫煙室に設置され、機体２上部に立設してある筒体３の壁面にエアー流入口４を接線方向に設けて竜巻式吸込口部５とすると共に、機体２下部に排出流速が０．２ｍ／秒未満である排出口部６を設け、且つ竜巻式吸込口部５と排出口部６との間の機体２内に空気清浄機器７及び送風機８を設けてなり、竜巻式吸込口部５からエアーを吸い込み空気清浄機器７を通過した清浄化エアーを、排出口部６から排出流速０．２ｍ／秒未満の微風流にして排出し、一定空間内での乱流発生を防止する。【選択図】図１
0003135855.tif 000002
【実用新案登録請求の範囲】
【請求項１】
機体上部に立設してある筒体の壁面に少なくとも１のエアー流入口を接線方向に設けて竜巻式吸込口部とすると共に、前記機体の下部に排出流速が０．２ｍ／秒未満である排出口部を設け、且つ前記竜巻式吸込口部と気流的に下流となる前記排出口部との間の機体内に空気清浄機器及び送風機を設けてなり、前記エアー流入口からエアーを吸い込み前記筒体内で竜巻とし、更に前記機体内の空気清浄機器を通過させて形成した清浄化エアーを、前記排出口部から排出流速０．２ｍ／秒未満の微風流にして排出し、一定空間内での乱流発生を防止したことを特徴とする喫煙用空気清浄機。
【請求項２】
前記竜巻式吸込口部は、透明であり且つ前記機体に対し着脱自在である請求項１記載の喫煙用空気清浄機。
【請求項３】
前記竜巻式吸込口部はライトアップされ、前記筒体内で発生した竜巻の視認性を向上させた請求項１または２記載の喫煙用空気清浄機。
【請求項４】
前記竜巻式吸込口部は複数である請求項１、２または３記載の喫煙用空気清浄機。
【請求項５】
前記排出口部は前記機体の両側に延出してあり、且つこの延出部内に邪魔板を設けて延出部のエアー排出面からの清浄化エアーを、排出流速０．２ｍ／秒未満の均質な微風流にした請求項１、２、３または４記載の喫煙用空気清浄機。
【請求項６】
一定空間内に請求項１ないし５に記載の喫煙用空気清浄機を設置し、且つ前記一定空間に換気口及び流入口を設けてなり、前記流入口の流入面積は前記換気口の換気風量に対して０．２ｍ／秒未満の流速に設定したことを特徴とする喫煙室。
【請求項７】
前記一定空間は乗り物に設置されている請求項６記載の喫煙室。
【考案の詳細な説明】
【技術分野】
【０００１】  本考案は、喫煙空間やリフレッシュ空間など、特に乗り物用の喫煙空間に設置する喫煙用空気清浄機及びそれを設置した喫煙室に関する。
【背景技術】
【０００２】  現在、煙草の紫煙を清浄化する空気清浄機は大別して３種類ある。これらは、１．紫煙を直接的に吸引して清浄化するタイプ、２．一定空間をエアーカーテンや仕切板などで囲い、紫煙を出さないようにすると共にその囲い内で吸引して清浄化するタイプ、３．上記の１と２とを組合せたもので、紫煙を直接的に吸引して清浄化し、吸引出来なかった紫煙を囲いから外に出さないようにするタイプ、である。【０００３】  ▲１▼のタイプとしては、本出願人の次のようなものが知られている。
【特許文献１】  特開平９−１２１９４７号公報  この文献によれば、空気清浄機である喫煙カウンターａは、図７に示すように、建造物の室内の任意箇所に配置され、カウンター本体ｂの側面に排気口ｃを設けると共に上面に吸気口ｄを設け、該吸気口ｄの上方に遮蔽板ｅを支柱ｆにより支持して設け、吸気口ｄと排気口ｃとの間のカウンター本体ｂ内に空気清浄機器及び送風機を設けたものである。この喫煙カウンターａの周辺で人が煙草を吸うと、紫煙は周辺のエアーと共に遮蔽板ｅにガイドされ吸気口ｄからカウンター本体ｂ内に入り、空気清浄機器により清浄化されて排気口ｃから外部に排気される。【０００４】  ▲２▼のタイプとしては、次のようなものが知られている。
【特許文献２】  実開平７−３５９２７号公報  この文献によれば、空気清浄機である喫煙ユニットａ１は、図８に示すように、建造物の室内における天井部ｇの周囲に吹出口ｈがあり、天井部ｇの中央部に吸気口ｄがあって、吹出口ｈからのエアーカーテンｉにより床ｊ、天井部ｇと相まって喫煙空間Ａをつくり、この喫煙空間Ａ内のエアーを天井部ｇの吸気口ｄにて吸引して喫煙空間Ａ内を一時的に負圧にして、室内の他の空間に紫煙や悪臭を流出しないようにし、天井部ｇ内にある空気清浄機器により清浄化エアーとして再び吹出口ｈから吹き出して、エアーカーテンｉとして循環させているものである。【０００５】  ▲３▼のタイプとしては、本出願人の次のようなものが知られている。
【特許文献３】  特開２００１−１７４０１１号公報  この文献によれば、空気清浄機である気流制御型分煙機ａ２は、図９に示すように、機械本体ｍが、箱体ｎの側部にパネルｏを取り付けた形状とし、該パネルｏにこれと共に建造物の室内を区分けするためのエアーカーテンｉを形成する吹出口ｈを設け、箱体ｎにエアーカーテンｉにより区分けした一方の喫煙空間Ａに位置させた吸気口ｄを設けて、他方の非喫煙空間Ｂに位置させた排気口ｃをパネルｏに設け、箱体ｎ内に空気清浄機器を設けてなり、排気口ｃからの清浄化エアーの排気量を少なくとも非喫煙空間Ｂからの外部巻込エアー量Ｑよりも大となるように設定し、パネルｏ及びエアーカーテンｉにより室内を区分けした吸気口ｄ側の喫煙空間Ａ内を負圧状態にしたものである。これにより、喫煙空間Ａ内にある機械本体ｍ周辺の紫煙を直ちに吸気口ｄから吸い込み、空気清浄機器により清浄化エアーにし、その一部を排気口ｃから外部巻込エアー量Ｑよりも大となるように非喫煙空間Ｂに排気して、喫煙空間Ａ内を負圧状態に保持し、清浄化エアーの残りを吹出口ｈから吹き出しエアーカーテンｉとして、吸気口ｄに吸い込まれなかった紫煙も、喫煙空間Ａ内が負圧状態であるから、最終的に吸気口ｄに吸い込まれ空気清浄機器により清浄化エアーにされ、排気口ｃから非喫煙空間Ｂに排出される。
【考案の開示】
【考案が解決しようとする課題】
【０００６】  図７の喫煙カウンターａは、室内などに配置すれば簡単に紫煙処理機能を有した喫煙室となり、喫煙者と言えども他人の紫煙は出来れば避けたいという願望を満たすことが出来て都合がよい。しかしながら、この喫煙カウンターａを喫煙室内に設置しても、喫煙者が喫煙カウンターａの吸気口ｄ回りの有効吸込領域内に紫煙を吐き出さなければ、紫煙を直ちに吸い込むことは出来ず喫煙室内を漂うことになり、喫煙者は紫煙に晒され上記願望が満たされず、清浄化の機能を損なう。この有効吸込領域は、喫煙カウンターａの吸込容量に依存し、これを広げるには吸込容量を増やすしかない。この吸込容量を増やすと、その分清浄化エアーが下部の排気口ｃから勢いよく床面に吐き出され、それが喫煙室内の壁に当たり乱流となって、吸気口ｄ回りの有効吸込領域に悪影響を及ぼし、期待した有効吸込領域のアップにつながらず、喫煙者は紫煙に晒される状態となり髪の毛や衣服に臭いが付着し、換気口が喫煙室にあってもドアなどの隙間から清浄化エアーと共に紫煙も外部に流失し易くなる。【０００７】  また、図８の喫煙ユニットａ１は、室内に配置すれば、紫煙処理機能を有した喫煙所となり得る点で都合がよい。しかしながら、この喫煙ユニットａ１は、大がかりなものであるから、容易に移動出来ず、室内を簡易的に紫煙処理機能を有した喫煙所とすることが困難である。加えて、天井部ｇを支持する柱ｋが必要となり、また、天井に吊るすようなタイプにしても、喫煙空間Ａ内を一時的に負圧状態にすることが出来るが、中央部にある吸気口ｄから吸い込んだエアーは、その全量を再び吹出口ｈからのエアーカーテンｉとするから、結局喫煙空間Ａ内を恒常的に負圧状態にすることが出来ず、紫煙が喫煙空間Ａ外に流出する。したがって、この喫煙ユニットａ１は、集煙効果が期待できず、しかも直接的に紫煙を吸引しないから、喫煙者と言えども他人の紫煙を出来れば避けたいという願望も満たすことが出来ない。更に、健康増進法の基準を完全にクリアーするには喫煙空間Ａを壁にて囲う必要があり、喫煙ユニットａ１の出入り自在の易喫煙所創設性のメリットが失われ、煩わしくなる。【０００８】  また、図９の気流制御型分煙機ａ２は、室内の公共スペースなどに配置すれば簡単に紫煙処理機能を有した喫煙所となり、喫煙者と言えども他人の紫煙は出来れば避けたいという願望を満たし、喫煙者が吸気口ｄ回りの有効吸込領域から離れて紫煙を吐き出しても、パネルｏ及びエアーカーテンｉにより創設した喫煙空間Ａ内であれば紫煙が漏れず、喫煙マナーに集煙効果を大きく依存せず都合がよい。しかしながら、この気流制御型分煙機ａ２は、室内の公共スペースの壁際などに設置しなければ、有利性を発揮出来ないなどの制約があり、また、図７の喫煙カウンターａと同様に吸気口ｄ回りの有効吸込領域内で喫煙をしなければ、紫煙は喫煙空間Ａ外に漏れることが無いものの、喫煙空間Ａ内を漂い喫煙者に影響を及ぼし、むやみに吸込容量を増やしても期待した有効吸込領域のアップにつながらない。更に、健康増進法の基準を完全にクリアーするには喫煙空間Ａを壁にて囲う必要があり、気流制御型分煙機ａ２の出入り自在の易喫煙所創設性のメリットが失われ、煩わしくなる。【０００９】  そこで、本考案は、上記事情に鑑みてなされたもので、少ない換気風量の喫煙室内に設置しても、吸込容量を増やすことなく、吸込口回りの紫煙の有効吸込量を多くでき、喫煙者に対する影響を軽減出来、その上に紫煙漏れを防ぐことのできる喫煙用空気清浄機及びそれを設置した喫煙室を提供することを課題とする。
【課題を解決するための手段】
【００１０】  本考案は、上記課題を達成するために提案されたものであって、下記の構成からなることを特徴とするものである。
すなわち、請求項１記載の考案は、機体上部に立設してある筒体の壁面に少なくとも１のエアー流入口を接線方向に設けて竜巻式吸込口部とすると共に、前記機体の下部に排出流速が０．２ｍ／秒未満である排出口部を設け、且つ前記竜巻式吸込口部と気流的に下流となる前記排出口部との間の機体内に空気清浄機器及び送風機を設けてなり、前記エアー流入口からエアーを吸い込み前記筒体内で竜巻とし、更に前記機体内の空気清浄機器を通過させて形成した清浄化エアーを、前記排出口部から排出流速０．２ｍ／秒未満の微風流にして排出し、一定空間内での乱流発生を防止したことを特徴とする喫煙用空気清浄機である。【００１１】  請求項２記載の考案は、前記竜巻式吸込口部は透明であり且つ前記機体に対し着脱自在であることを特徴とする喫煙用空気清浄機である。【００１２】  請求項３記載の考案は、前記竜巻式吸込口部をライトアップし、その筒体内で発生した竜巻の視認性を向上させたことを特徴とする喫煙用空気清浄機である。【００１３】  請求項４記載の考案は、前記竜巻式吸込口部は複数であることを特徴とする喫煙用空気清浄機である。【００１４】  請求項５記載の考案は、前記排出口部は前記機体の両側に延出してあり、且つこの延出部内に邪魔板を設けて延出部のエアー排出面からの前記清浄化エアーを、０．２ｍ／秒未満の均質な微風流にしたことを特徴とする喫煙用空気清浄機である。【００１５】  請求項６記載の考案は、一定空間内に上記の喫煙用空気清浄機を設置し、且つ前記一定空間に換気口及び流入口を設けてなり、前記流入口の流入面積は前記換気口の換気風量に対して０．２ｍ／秒未満の流入風速に設定したことを特徴とする喫煙室である。【００１６】  請求項７記載の考案は、前記一定空間は乗り物に設置されていることを特徴とする喫煙室である。
【考案の効果】
【００１７】  以上詳述したように、本考案によれば、以下のような効果がある。
請求項１記載の考案は、機体内の送風機を駆動させると、エアーは、竜巻式吸込口部のエアー流入口から接線方向に流入して、筒体壁面にガイドされ竜巻となり、その後機体内に入り空気清浄機器にて清浄化され、機体下部の排出口部から０．２ｍ／秒未満の微風流の清浄化エアーとして排出される。したがって、筒体内の竜巻によりエアー流入口から平均的にエアーを吸い込むことが出来るから、吸込容量を増やさなくても、竜巻式吸込口部回りの紫煙の有効な吸込量を多くでき、その上、清浄化エアーによる乱流も起きづらいから、喫煙者に対する影響を軽減出来、一定空間内からの紫煙漏れも防ぐことができる効果がある。【００１８】  請求項２記載の考案は、喫煙者が竜巻式吸込口部回りに紫煙を吐き出すと、紫煙は周囲のエアーと共に透明の竜巻式吸込口部におけるエアー流入口から、透明の筒体内に流入し紫煙を含んだ竜巻となり、紫煙の色により竜巻が可視化する。一方、時の経過と共に透明の筒体が紫煙により汚れ、筒体内の竜巻が見づらくなると、竜巻式吸込口部を取り外し清掃して再び取り付ける。したがって、上記効果に加えて、筒体内で発生している竜巻を見ようとして、喫煙者は紫煙を竜巻式吸込口部のエアー流入口回りに吐き出すことになり、紫煙を効率よく吸い込むことが出来、且つ竜巻式吸込口部の透明状態を保持して、紫煙の吸込効率を高水準に保て得る効果がある。【００１９】  請求項３記載の考案は、ライトアップにより筒体内で発生した竜巻が更によく見える。したがって、上記効果に加えて、紫煙をなお一層効率よく吸い込むことが出来る効果がある。【００２０】  請求項４記載の考案は、喫煙者が吐き出した紫煙は、複数の竜巻式吸込口部の流入口から周囲のエアーと共に透明の筒体内に流入して、紫煙を含んだ可視化の竜巻となる。したがって、上記効果に加えて、竜巻式吸込口部の流入口が複数ある分、なお一層効率よく紫煙を吸い込むことが出来る効果がある。【００２１】  請求項５記載の考案は、機体内の空気清浄機器にて清浄化された清浄化エアーは、機体下部の両側に延出してある排出口部により二手に分かれて半分に減り、その延出部内に入って邪魔板に当たりその流速を減衰し、その後、後続の清浄化エアーに押されて、エアー排出面から０．２ｍ／秒未満の均質な微風流として排出される。したがって、上記効果に加えて、清浄化エアーによる乱流の発生を確実に抑え得て、なお一層喫煙者に対する影響を軽減出来、一定空間内からの紫煙漏れも防ぐことができる効果がある。【００２２】  請求項６記載の考案は、一定空間内の換気口からエアーを換気すると、その換気風量に見合う外気が流入口から０．２ｍ／秒未満の流速にて進入するが、進入外気は流速が遅いため指向性を持たず、一方、一定空間内設置の上記喫煙用空気清浄機における排出口部からの清浄化エアーも、０．２ｍ／秒未満の微風流であるから指向性が無く、進入外気及び清浄化エアーにより一定空間内で乱流が起きない。したがって、上記一定空間内に喫煙用空気清浄機を設置すれば、その吸込容量を増やさなくても、竜巻式吸込口部回りの紫煙の有効吸込量を多くでき、一定空間内で乱流が起きづらく、喫煙者に対する影響を軽減出来、一定空間内からの紫煙漏れも防ぐことができ��効果がある。【００２３】  請求項７記載の考案は、乗り物の一定空間内に上記喫煙用空気清浄機を設置して喫煙室としても、上記と同じ効果を奏する。
【考案を実施するための最良の形態】
【００２４】  以下に、図面を参照して本考案を実施するための最良の形態を説明する。
【実施例１】
【００２５】  図１は本考案の実施例１を示す喫煙用空気清浄機の一部を断面した縦断面図、図２は図１の喫煙用空気清浄機の平面図、図３は図１のＩＩＩ−ＩＩＩ線に沿う断面図、図４は図１のＩＶ−ＩＶ線に沿う断面図、図５は図１の喫煙用空気清浄機における竜巻式吸込口部の概要を示す斜視図である。図面において、喫煙用空気清浄機１は、乗り物、例えば鉄道車両の喫煙室に設置されるものであり、機体２上部に立設してある筒体３の壁面に少なくとも１のエアー流入口４を接線方向に設けて竜巻式吸込口部５とすると共に、機体２の下部に排出流速が０．２ｍ／秒未満である排出口部６を設け、且つ竜巻式吸込口部５と気流的に下流となる排出口部６との間の機体２内に空気清浄機器７及び送風機８を設けてなり、エアー流入口４からエアーを吸い込み筒体３内で竜巻ｔとし、更に機体２内の空気清浄機器７を通過させて形成した清浄化エアーを、排出口部６から排出流速０．２ｍ／秒未満の微風流にして排出し、一定空間内での乱流発生を防止するものである。【００２６】  前記機体２は、その背面板１０が設置場所である鉄道車両の形状に合わせて外側に湾曲しているが、概ね矩形をなした箱体である。機体２の上面板１１には円形開口１２が２つ開けられ、その上面板１１上には前記竜巻式吸込口部５が着脱自在に取り付けられて、この竜巻式吸込口部５と機体２内部とが上記の円形開口１２により連通する。そして、機体２の両方の側板１２には側板開口１３がそれぞれ開けられ、その両方の側板１２には前記排出口部６が取り付けられて、この排出口部６と機体２内部、すなわち下記の風箱１６とが上記の側板開口１３により連通することになる。【００２７】  一方、機体２の内部は、仕切板１４が取り付けられて、その上部空間が空気清浄機器７及び送風機８が設けられる機械室１５となり、下部空間がエアーを一旦貯める風箱１６となっている。そして、この風箱１６内にはマイナスイオンや除菌イオンのイオン発生機１７が取り付けられている。【００２８】  前記竜巻式吸込口部５は、既述のとおり、前記筒体３の壁面に少なくとも１のエアー流入口４を接線方向に設けたものであり、その具体的な構成は、以下の通りである。すなわち、この実施例１の竜巻式吸込口部５は、図５に示すように、筒体３が２つあり、それぞれの筒体３に１のエアー流入口４が設けられてなるもので、正面板２０と、機体２の背面板１０と同じく設置場所である鉄道車両の形状に合わせて湾曲している背面板２１とを、両側の側板２２及び中央の仕切板２３にてつなげ、更に、導流仕切板２４、天井板２５及び底板２６とで形成している。この竜巻式吸込口部５は、中央仕切板２３により２つの筒体３に分けられ、この中央仕切板２３、側板１２、背面板１０、導流仕切板２４及び底板２６により囲われて、２つの竜巻発生室である筒体３（以下、竜巻発生室という）が形成され、これら２つの竜巻発生室３は、機体２の上面板１１に設けられた２つの円形開口１２に、これと同形で底板２６に開けた孔２６ａにより連通すると共に、上面板１１と導流仕切板２４との間に形成されたエアー流入口４とも連通することになる。そして、導流仕切板２４には、切欠２４ａが設けられ、上部に行くに従い湾曲して狭まって���る竜巻発生室３にエアーが吸い込まれた際、上部も下部も均一に吸い込まれるようにしている。【００２９】  したがって、前記機械室１５内の送風機８を駆動させると、機体２の上面の円形開口１２からエアーが機械室１５内に吸い込まれるから、それに連動してエアー流入口４から外部のエアーと共に紫煙を吸い込むことになり、吸い込まれたエアーはエアー流入口４の上面板１１と導流仕切板２４とに導かれて、上述のとおり上部、下部とも均一に竜巻発生室３に入り、その壁面に沿って流れることにより旋回流となり、その旋回流の軸芯部に位置した機体２の円形開口１２からエアーが吸い込まれているから、この旋回流は円形開口１２に収束する竜巻ｔとなる。この竜巻ｔは、いわゆる管内竜巻であり、この竜巻ｔの特性である渦収束性によって、エアー流入口４の天井板２５に近い部分も、機体２の上面板１１に近い部分も、更に、これらの中間部分も、ほぼ均一に外部のエアーを吸い込むことになる。なお、エアー流入口４にはネット状物４ａが張られ、吸い殻やゴミなどの異物が直接入らないようにしている。【００３０】  そして、この竜巻式吸込口部５の背面板２１以外はすべて透明にして、竜巻発生室３内に発生した竜巻ｔを外部から見えるようにしている。なお、背面板２１も透明にしても無論良いのであるが、より竜巻発生室３内に発生している竜巻ｔの視認性を向上させるために、ライン型ＬＥＤなどのライト２７によりライトアップするので、この場合背面板２１が透明でないほうが竜巻ｔが見やすくなる。また、この竜巻式吸込口部５は、機体２対し着脱自在であり、その結果、時の経過と共に透明の竜巻発生室３が紫煙により汚れ、竜巻ｔが見づらくなっても、竜巻式吸込口部５を容易に取り外し清掃して再び取り付けることができる。したがって、巻式吸込口部の透明状態を保持出来るから、紫煙の吸込効率を高水準に常時保つことが出来る。【００３１】  前記排出口部６は、既述のとおり、機体２の下部に設けて、その排出流速が０．２ｍ／秒未満とするものであり、その具体的な構成は、以下の通りである。すなわち、この実施例１の排出口部６は、機体２下部の両側に翼のように延出すると共に側板開口１３を覆い、且つこの延出部３０内に邪魔板３１を設けて、延出部３０のエアー排出面３２からの清浄化エアーを、０．２ｍ／秒未満の均質な微風流にするものである。このエアー排出面３２は、延出部３０正面の大開口３３にネット状物３４が張られてなるものである。【００３２】  したがって、前記送風機８を駆動させると、竜巻式吸込口部５からエアーを吸い込み空気清浄機器７を通過して清浄化エアーとなり、この清浄化エアーは、機械室１５から風箱１６に入り、更に、風箱１６から２つの側板開口１３により２手に分かれて排出口部６の延出部３０に入り、邪魔板３１により流速が減衰されてエアー排出面３２の大開口３３からネット状物３４を通り、排出流速０．２ｍ／秒未満の微風流にして排出される。【００３３】  前記竜巻式吸込口部５と排出口部６との間の機体２における機械室１５内には、既述のとおり、前記空気清浄機器７及び前記送風機８が設けられている。この空気清浄機器７は、吸込エアー中の比較的大きな粒子を除去するプレフィルター４０と、このプレフィルター４０により除去出来なかった微粒子を除去する電気集塵機４１と、この電気集塵機４１により除去出来なかった超微細粒子、臭気成分並びに有害ガス成分などを除去する複合フィルター４２との３部構成となっている。また、この電気集塵機４１の代わりに、少なくとも微細粒子を除去出来るメカニカルフィルターを用い、更に、超微細粒子、臭気成分並びに有害ガス成分の除去機能をも併せ持つ超高性能なメカニカルフィルターを併用してもよい。【００３４】  前記送風機８は、上記の竜巻ｔ及び排出口部６からの排出流速０．２ｍ／秒未満の微風流を形成するのに必要とされる基本的な容量及び圧力に、上記の空気清浄機器７の負荷及びその他のロスに対する必要とする条件が加算されること以外、特に限定がない。【００３５】  また、喫煙用空気清浄機１の機体２、竜巻式吸込口部５及び排出口部６に情報媒体が設置されていると、喫煙者はこれらに向かって喫煙しているから、必然的にこれらの情報媒体を見ることになる。この情報媒体は、ポスター、動画及び静止画の映像媒体など、特に限定がない。その内容もニュース、天気予報、広告など特に限定がない。【００３６】  そして、この喫煙用空気清浄機１は、図６に示すように、一定空間、例えば乗り物である鉄道車両５０の喫煙室５１に設置される。この喫煙室５１には換気口５２及び流入口５３が設けられている。この流入口５３の流入面積は、換気口５２における換気風量に対して、０．２ｍ／秒未満の流入風速となるように設定される。【００３７】  したがって、喫煙室５１の換気口５２からエアーを換気すると、その換気風量に見合う外気が流入口５３から０．２ｍ／秒未満の流速にて進入するが、進入外気は流速が遅いため指向性を持たず、一方、喫煙室５１内設置の喫煙用空気清浄機１における排出口部６からの清浄化エアーも、０．２ｍ／秒未満の微風流であるから指向性が無く、進入外気及び清浄化エアーにより喫煙室５１内で乱流が起きることがない。このため、喫煙室５１内に本発明の喫煙用空気清浄機１を設置すれば、その吸込容量を増やさなくても、竜巻式吸込口部回りの紫煙の有効吸込量を多くでき、喫煙室５１内で乱流が起きづらく、喫煙者に対する影響を軽減出来、喫煙室５１内からの紫煙漏れも防ぐことができる。【００３８】  次に、上記構成になる喫煙用空気清浄機１の使用状況を説明する。
まず、鉄道車両５０の喫煙室５１内に喫煙用空気清浄機１を設置する。その際、喫煙室５１の流入口５３の流入面積は、換気口５２からの換気風量により０．２ｍ／秒未満の流入風速となるように設定する。そして、機体２内の送風機８を駆動させた状態で、喫煙室５１内で喫煙者がたばこを吸うと、紫煙が発生し、その紫煙は、周囲のエアーと共に竜巻式吸込口部５のエアー流入口４から、既に竜巻発生室３内に発生している竜巻ｔの特性による均一吸込、且つ接線方向に流入し、竜巻発生室３の壁面にガイドされて新たな竜巻ｔとなり、その後円形開口１２から機体２の機械室１５内に入り空気清浄機器７にて清浄化され、その清浄化エアーは風箱１６に入りイオン発生機１７からのマイナスイオンや除菌イオンと混ざり、それぞれの効果を受け、その後、側板開口１３から排出口部６に入り、邪魔板３１にて清浄化エアーの流速が減衰されて、エアー排出面３２から０．２ｍ／秒未満の微風流の清浄化エアーとして喫煙室５１内に排出される。【００３９】  また、喫煙室５１の流入口５３の流入面積は、換気口５２の換気風量に対し０．２ｍ／秒未満の流入風速となるように、設定されているから、流入口５３からの進入外気も０．２ｍ／秒未満の微風流となるので、互いに指向性が無く上記清浄化エアーとで乱流となることが無い。【００４０】  一方、竜巻発生室３内に発生している竜巻ｔは、背面板２１以外の竜巻式吸込口部５がすべて透明であるから、喫煙者はライト２７によりライトアップされた竜巻ｔを見ることが出来、しかも、その竜巻ｔは紫煙が無いと見えないか見づらいので、喫煙者は積極的に竜巻式吸込口部５のエアー流入口４に向けて紫煙を吐き出すことになる。したがって、喫煙用空気清浄機１自体の吸込容量を増やさないでも、紫煙の有効吸込量を多くでき、その上清浄化エアー及び外部流入エアーによる乱流も起きづらいから、喫煙者に対する影響を軽減出来、喫煙室５１内からの紫煙漏れも防ぐことができる。その上、竜巻式吸込口部５に紫煙が付着して竜巻ｔが見づらくなれば、竜巻式吸込口部５は着脱自在であるから、容易に洗浄出来る。竜巻式吸込口部５の予備が１つあれば、清浄後の透明な竜巻式吸込口部５と汚れて透明性の低い竜巻式吸込口部５とを交換することで、常時竜巻ｔを視認出来それによる効果も常時享受出来る。【００４１】  以上、本考案の実施例１を説明したが、具体的な構成はこれに限定されず、本考案の要旨を逸脱しない範囲での変更・追加、各請求項における他の組み合わせにかかるものも、適宜可能であることが理解されるべきである。
【産業上の利用可能性】
【００４２】  本考案の喫煙用空気清浄機は、喫煙室、喫煙コーナーなどに設置利用自在であるが、特に、鉄道車両などの少ない換気風量の喫煙室で、吸込容量を増やさないで、紫煙の有効吸込量を多くでき、喫煙者に対する影響を軽減出来、その上喫煙室からの紫煙漏れを防ぎたいような場合に、利用可能性が極めて高くなる。
【図面の簡単な説明】
【００４３】
【図１】  本考案の実施の形態を示す喫煙用空気清浄機の一部を断面した縦断面図である（実施例１）。
【図２】  図１の喫煙用空気清浄機の平面図である（実施例１）。
【図３】  図１のＩＩＩ−ＩＩＩ線に沿う断面図である（実施例１）。
【図４】  図１のＩＶ−ＩＶ線に沿う断面図である（実施例１）。
【図５】  図１の喫煙用空気清浄機における竜巻式吸込口部の概要を示す斜視図である（実施例１）。
【図６】  鉄道車両の喫煙室に喫煙用空気清浄機を設置した状態を示す側面図である（実施例１）。
【図７】  従来例の斜視図である。
【図８】  従来例の斜視図である。
【図９】  従来例の側面図である。
【符号の説明】
【００４４】１                        喫煙用空気清浄機
２                        機体
３                        筒体（竜巻発生室）
４                        エアー流入口
４ａ、３４                ネット状物
５                        竜巻式吸込口部
６                        排出口部
７                        空気清浄機器
８                        送風機
１０、２１                背面板
１１                      上面板
１２                      円形開口
１３                      側板開口
１４                      仕切板
１５                      機械室
１６                      風箱
１７                      イオン発生機
２０                      正面板
２２                      側板
２３                      中央仕切板
２４                      導流仕切板
２４ａ                    切欠
２５                      天井板
２６                      底板
２６ａ                    孔
２７                      ライト
３０                      延出部
３１                      邪魔板
３２                      エアー排出面
３３                      大開口
４０                      プレフィルター
４１                      電気集塵機
４２                      脱臭フィルター
５０                      鉄道車両
５１                      喫煙室
５２                      換気口
５３                      流入口
Ａ                        喫煙空間
ａ                        喫煙カウンター
ａ１                      喫煙ユニット
ａ２                      気流制御型分煙機
Ｂ                        非喫煙空間
ｂ                        カウンター本体
ｃ                        排気口
ｄ                        吸気口
ｅ                        遮蔽板
ｆ                        支柱
ｇ                        天井部
ｈ                        吹出口
ｉ                        エアーカーテン
ｊ                        床
ｋ                        柱
ｍ                        機械本体
ｎ                        箱体
ｏ                        パネル
Ｑ                        外部巻込みエアー量
【図１】
0003135855.tif 000003
【図２】
0003135855.tif 000004
【図３】
0003135855.tif 000005
【図４】
0003135855.tif 000006
【図５】
0003135855.tif 000007
【図６】
0003135855.tif 000008
【図７】
0003135855.tif 000009
【図８】
0003135855.tif 000010
【図９】
0003135855.tif 000011